(57)【特許請求の範囲】
【請求項１】
自動改札機及び駅コントローラの少なくとも一方を含む自動改札システムであって、
使用を禁止する定期券を特定する定期券ＩＤ番号を記憶する記憶機能と、
定期券の乗車区間及び有効期間の少なくとも一方と、定期券ＩＤ番号とを読み取る読取機能と、
前記読取機能で読み取った定期券ＩＤ番号を前記記憶機能で記憶している定期券ＩＤ番号と一致するか否かをチェックするＩＤ番号チェック機能と、
前記読取機能で読み取った乗車区間又は有効期間に基づき正常な乗車であるか否かをチェックする正常乗車チェック機能と、
前記正常乗車チェック機能を動作させると共に、前記ＩＤ番号チェック機能を動作させるか否かを切り替えるモード切替機能とを有することを特徴とする自動改札システム。
【請求項２】
請求項１記載の自動改札システムであって、
開閉するゲートを有し、
前記ゲートは、前記正常乗車チェック機能で正常でないと判断されたとき、及び、前記ＩＤ番号チェック機能でＩＤ番号が一致したときに閉じることを特徴とする自動改札システム。
【請求項３】
開閉するゲートを有する自動改札システムにおける券のチェック方法であって、以下のステップを含む、
券からＩＤ番号と券の有効期間とを読み取るステップと、
前記自動改札システムがチェックモードであるか否かを判断するステップと、チェックモードであるとき、読み取った前記ＩＤ番号が予め登録している使用禁止券の番号と一致するか否かをチェックするステップと、
チェックモードでないとき、及び、読み取った前記ＩＤ番号が前記使用禁止券の番号と一致しないときに読み取った前記有効期間が使用可能な期間であるか否かをチェックするステップと、
読み取った前記ＩＤ番号が前記使用禁止券の番号と一致したとき、及び、前記有効期間が使用可能な期間でなかったときにゲートを閉ざすステップ。
【発明の詳細な説明】
【０００１】
【発明の属する技術分野】
本発明は、輸送機関で定期券を取り扱う処理に関する。
【０００２】
【従来の技術】
従来は、紛失した定期券を他人が使用してもそれを検知することができなかった。
【０００３】
【発明が解決しようとする課題】
本発明では、紛失届が出ている定期券が自動改札機に入力されれば、ＩＤ番号に基づいてそれを検知する。
【０００４】
【課題を解決するための手段】
定期券にＩＤ番号を記憶させ、乗客が紛失した時は、そのＩＤ番号を自動改札機、または自動改札機に接続した制御装置に登録しておいて、定期券が自動改札機に入力された時にそのＩＤ番号を読み、紛失した定期券であるか否かを判断する。
【０００５】
【発明の実施の形態】
第１の実施例を説明する。この実施例では、輸送機関は鉄道会社とする。図１は、システム構成図である。ホストコンピュータ１０と各駅にある駅コントローラ１，２，・・・，ｎを公衆回線網１１を介して接続する。各駅には、端末１ａ，２ａ，・・・，ｎａ、自動改札機１ｂ，２ｂ，・・・，ｎｂや、定期券処理装置１ｃ，２ｃ，・・・，ｎｃ等がある。乗客が定期券を紛失すれば、駅の端末からホストコンピュータ１０にアクセスし、乗客の紛失した定期券のＩＤ番号を検索し、ホストコンピュータ１０から駅コントローラ１，２，・・・，ｎに、そのＩＤ番号を送る。すべての駅コントローラに送っても良いし、その定期券の乗車区間の駅コントローラだけに送っても良い。また、紛失した定期券のＩＤ番号は駅コントローラ１，２，・・・，ｎに記憶させても良いし、自動改札機１ｂ，２ｂ，・・・，ｎｂに記憶させても良い。自動改札機は、乗客が定期券を入力する毎に、そのＩＤ番号を読み、自動改札機または駅コントローラに記憶している”紛失届の出ている定期券”のＩＤ番号と一致するかどうかチェックする。そのチェックは、いつでも実行するという方法でも良いし、ラッシュ時はチェックをやらず、それ以外の時にチェックする、というようにモード（以下、チェックモード）を切り替えても良い。これは、駅コントローラ１，２，・・・，ｎのスイッチで切り替えたり、ホストコンピュータ１０からモード切り替えの信号を送っても良い。定期券を払戻したり、継続定期券を発行する時に、定期券処理装置１ｃ，２ｃ，・・・，ｎｃを利用する。
【０００６】
図２に、自動改札機でのチェックする処理方法について述べる。以下、各ステップの説明を行う。
ステップ２０１：
自動改札機または駅コントローラがチェックモードであれば、ステップ２０２へ、チェックモードでなければ、ステップ２０４へ進む。
ステップ２０２：
自動改札機に投入された定期券のＩＤ番号を読み取る。
ステップ２０３：
紛失した定期券のＩＤ番号は、使用禁止定期券として自動改札機または駅コントローラに登録されているので、乗客が自動改札機に投入した定期券が、登録されている使用禁止定期券であるか否かをチェックする。もし、それが使用禁止定期券であればステップ２０６へ、使用禁止定期券でなければステップ２０４へ進む。
ステップ２０４：
ＩＤ番号以外（乗車区間、有効期間）の情報を読み取る。
ステップ２０５：
上記情報に基づき、正常な乗車であるか否かをチェックする。正常な乗車（使用可能な定期券）であればステップ２０７へ、正常な乗車でなければステップ２０６へ進む。
ステップ２０６：
不正乗車と判断して、自動改札機のゲートを閉め、音を発したり、駅コントローラに表示したりして、駅員に知らせる。
ステップ２０７：
正常な乗車と判断して、自動改札機のゲートを開ける。
【０００７】
本実施例によれば、乗客が定期券を紛失しても、他人がそれを利用することができない。または、他人が利用した場合、自動改札機でそれを検知することができる、という効果がある。
【０００８】
図３に、定期券の記憶部分のフォーマットを示す。従来の定期券に加え、定期券固有のＩＤ番号を設定する。この部分をステップ２０２で読み取る。定期券がＩＣカードで構成されている場合には、図３の情報以外に、暗証番号のエリアを設けることもできる。その場合、不要になった定期券の払戻し等を乗客が操作する定期券処理装置で処理可能となる。
【０００９】
図４に、乗客が操作し、定期券を払戻すことのできる定期券処理装置のブロック図を示す。定期券入力部４０１から、乗客は定期券を入力する。読み取り部４０２は、定期券の記憶領域を読み、乗車区間、有効期間等を読み取る。表示画面４０５にガイダンスを表示し、乗客はタッチパネル４０４から暗証番号等を入力する。ＩＣカードでできた定期券ならば、ＩＣカード内のＣＰＵでＩＣカード内に記憶した暗証番号と、乗客が入力した暗証番号が一致しているか否かをチェックすることが可能である。ＩＣカードでない定期券の場合は、ホストコンピュータ１０にＩＤ番号毎の暗証番号を記憶し、ここでチェックすれば良い。メモリ４０７には乗車区間毎の、利用期間毎（例えば１ヵ月、３ヵ月、６ヵ月）の料金を記憶している。
【００１０】
ＣＰＵ４０６は定期券の有効期間と現在までどれだけ乗客が使用したかを勘案し、メモリ４０７を参照して、払戻し金額を計算する。例えば、６ヵ月定期券で、２ヵ月半使用した場合、（６ヵ月の定期代−３ヵ月の定期代−手数料）を計算し、払戻し金額を求める。ＣＰＵ４０６は、現金スタッカ４０８に金額の指示を出し、現金スタッカ４０８は現金出金部４０９に、現金を出金する。払戻しが終わった定期券は、回収部４０３に回収する。
【００１１】
また、紛失届の出ている定期券のＩＤ番号をメモリ４０７か、または通信制御部を設けて他のコンピュータ（ホストコンピュータ１０等）に設定しておけば、この定期券を用いて、不正に払戻しを受けようとこの装置に入力された場合に、ＩＤ番号をチェックして、装置内部の回収部４０３に回収し、不正利用を防止することが出来る。
【００１２】
図４に機能を追加して、継続定期券を発行することができる定期券処理装置のブロック図を図５に示す。発行した定期券のデータベース（表１に後述）をホストコンピュータ１０（図１）に構築する。そのデータベースにアクセスするための通信制御部５０１を設ける。継続定期券を発行する前に、現金入金部５０２から現金を入力してもらう。定期券スタッカ５０３には定期券を蓄えておき、ＣＰＵ４０６に指示に基づいて、乗車区間、有効期間、氏名、年齢、性別、金額等を定期券印字部５０４で印字する。印字が終わった継続定期券を定期券出力部５０５から排出する。
【００１３】
表１に上記データベースの一例を示す。定期券を発行する毎に、一行追加する。乗客が定期券を紛失した時は、駅の端末を用いて、氏名、電話番号からＩＤ番号を検索し、そのＩＤ番号をホストコンピュータ１０、駅コントローラ１，２，・・・，ｎや自動改札機１ｂ，２ｂ，・・・，ｎｂや定期券処理装置１ｃ，２ｃ，・・・，ｎｃ（図４、図５）に登録することができる。
【００１４】
従来の継続定期券発行装置では、定期に記載または記憶された年齢を、そのまま継続定期券にコピーしていた。そのため継続定期券発行装置を使用し続けていると、年齢が更新されなかった。つまり、何年も連続して継続定期券発行装置を使用しても、最初に窓口で発行した時の年齢がそのまま記載されていた。そのため、紛失した定期券が他人に悪用されたり、窓口で払戻しを受ける時や、車内検札で本人を確認しなければならない時に、定期券に記載された年齢が、本人を特定する材料にならないという問題があった。そこで、この問題を解決する第２の実施例では、継続定期券発行装置で定期券を発行する場合、１年以上年齢を更新していなければ、年齢を１歳加算して継続定期券を発行する方法を述べる。表１に発行した定期券のデータベースを示す。発行年月日（ＰＤ）の他に、年齢更新年月日（ＡＤ）を設ける。経由駅でｆｆと記述してあるのは、経由駅はない、という意味である。
【００１５】
【表１】
0003684362.tif 000002
ＰＤには定期券を発行する日付を記憶し、ＡＤは、年齢を１歳加算するまで、同じ日付を保持続け、１歳加算した時に、その日の日付を記憶する。例えば、現在日を９３年４月１日として、ＩＤ番号０００１のａさんが、図５の装置を用いて継続定期券を購入した場合の例を考えてみる。この場合、ＡＤは９２年１０月１日で、まだ１年経過していないので、年齢３０歳をそのまま継続定期券に印字、記憶する。ＡＤはそのままの日付を記憶し、ＰＤは９３年４月１日として、ＩＤ番号９９９１に登録する。一方、ＩＤ番号０００２のｂさんの場合は、ＡＤが９２年３月３１日であり、１年以上年齢を更新していないことが分かる。従って、この場合は、継続定期券には、１歳加算した３６歳と印字し、ＡＤ、ＰＤとも９３年４月１日として、ＩＤ番号９９９２に登録する。ｃさんはａさんと同様なので、説明は省略する。
【００１６】
この処理フローを図６を用いて説明する。初めて発行した定期券のＡＤには初期値として、ＰＤと同一の日付けを記憶しておく。また現在日をＤＡＴＥという変数で表現する。
ステップ６０１：
入力された定期券のＩＤ番号を読み、そのＩＤ番号に対応した表１の内容を読む。
ステップ６０２：
ＤＡＴＥ−ＡＤが１年以上であるか否かをチェックする。１年以上であれば、ステップ６０３へ進み、１年未満であれば、ステップ６０５へ進む。
ステップ６０３：
１年以上年齢を更新していなので、ＡＧＥを１歳加算する。
ステップ６０４：
ＡＤにＤＡＴＥを書き込む。
ステップ６０５：
最後に年齢を更新してからまだ１年経過していないので、ＡＧＥはそのまま用いる。
ステップ６０６：
ＰＤにＤＡＴＥを書き込む。
ステップ６０７：
乗車区間や有効期間等の情報を継続定期券に印字する、という通常の継続定期券の発行処理を行う。
ステップ６０８：
新ＩＤ番号を割当て、表１のデータベースに１行追加する。
【００１７】
ステップ６０１では、１年以上経過しているか否かをチェックする、と述べたが、継続定期券の購入者は、一般に使用開始日の数日前から購入するので、連続した期間に６カ月定期券を何回か購入する場合でも、ちょうど６ヵ月後、１２ヵ月後に購入するとは限らない。５ヵ月と２９日後や、３６４日後に購入することも考えられる。従って、ステップ６０１の「１年後」を「１年後−数日」のように設定しても良い。
【００１８】
また、データベースに年齢更新年月日を記憶する代わりに、乗客の生年月日を記憶して、継続定期券を発行する毎に、ホストコンピュータ１０か図５の定期券処理装置（継続定期券発行装置）で乗客の年齢を計算してもよい。
【００１９】
継続定期券発行装置をスタンドアロンで稼働させる時は、定期券自身に、年齢更新年月日または生年月日を記憶させればよい。
【００２０】
ここでは、入金処理を省略したが、ステップ６０１の前に、料金を計算し、入金を確認の後、本処理フローを実行すれば良い。
【００２１】
本実施例によれば、継続定期券発行装置を用いても、１年以上年齢を更新していない時は、年齢を更新できるので、正しい年齢を定期券に記載することができる、正しい年齢を記載した継続定期券を発行することができる、という効果がある。
【００２２】
以上の一実施形態は、以下によっても表すことができる。
【００２３】
定期券にそれを特定するＩＤ番号を記憶させておき、使用を禁止する定期券があればそのＩＤ番号を自動改札機、または自動改札機を制御する装置に設定し、定期券が入力されれば、そのＩＤ番号が設定された使用を禁止された定期券であるか否かをチェックすることを特徴とする定期券処理方法。
【００２４】
自動改札機または自動改札機を制御する装置が、使用を禁止された定期券であるか否かのチェックを行うか否かのモードを切り替えることを特徴とする請求項１記載の定期券処理方法。
【００２５】
定期券を販売する場合にＩＤ番号を含んだデータベースに販売した情報を追加し、乗客が定期券を紛失した場合は、氏名、電話番号等乗客の属性を表すキーで、乗客が所有していた定期券のＩＤ番号を検索することを特徴とする定期券処理方法。
【００２６】
定期券を販売する場合にＩＤ番号を含んだデータベースに販売した情報を追加し、乗客が定期券を紛失した場合は、氏名、電話番号等乗客の属性を表すキーで、乗客が所有していた定期券のＩＤ番号を検索し、その乗車区間を読み取り、該乗車区間の駅の自動改札機、または自動改札機を制御する装置に、該定期券を使用を禁止する定期券として、そのＩＤ番号を設定することを特徴とする定期券処理方法。
【００２７】
暗証番号を記憶した定期券を受付ける第１の手段、それを読み取る第２の手段、使用期間又は残りの有効期間から払い戻す金額を計算する第３の手段、暗証番号の入力を受け付ける第４の手段、定期券に記憶された暗証番号と乗客が入力した暗証番号から、正規な定期券所有者か否かを判断する第５の手段、現金を蓄える第６の手段、第３の手段で計算した金額を出金する第７の手段を有することを特徴とする定期券処理装置。
【００２８】
定期券に、年齢を更新した年月日を記憶し、継続定期券発行装置では、入力された定期券の年齢更新年月日を読んで、所定の日数が経過していたら年齢に１歳加算し、そうでなければ、乗客が入力した定期券の年齢をコピーして継続定期券を発行することを特徴とする定期券処理方法。
【００２９】
定期券を受付ける第１の手段、定期券に記憶された年齢の更新年月日を読み取る第２の手段、前記年齢の更新年月日からの経過日数を判定し所定の日数が経過していたら年齢に１歳加算し、そうでなければ、乗客が入力した定期券の年齢をコピーして継続定期券を発行することを特徴とする定期券処理装置。
【００３０】
定期券に記憶された年齢の更新年月日に代えて定期券に記憶された乗客の生年月日を基礎に乗客の年齢を計算して、その年齢を印字し、継続定期券を発行することを特徴とする請求項７記載の定期券処理装置。
【００３１】
継続定期券発行装置と接続した装置に、少なくとも定期券ＩＤ、乗客の氏名を記憶したデータベースを有し、該データベースに乗客の生年月日を記憶し、継続定期券発行装置では、入力された定期券のＩＤ番号から該データベースの生年月日を読んで、乗客の年齢を計算して、その年齢を印字し、継続定期券を発行することを特徴とする定期券処理装置。
【００３２】
発行した定期券のデータベースを作成し、発行年月日と年齢を更新した年月日を設ける。継続定期券を発行する時、年齢を更新した年月日から１年経過しているか否かをチェックし、１年以上経過していれば、定期券に記憶している年齢に１歳加算した年齢を記憶、印字して継続定期券を発行する。
【００３３】
定期券を発行する時には、従来の情報（乗車区間、有効期間等）の他、ＩＤ番号も記憶させ、発行した定期券のデータベースを作成する。このデータベースには、乗客の氏名、年齢、電話番号等を記憶させるので、乗客が定期券を紛失した場合は、輸送機関はそのＩＤ番号を、駅の端末を使う等して、このデータベースから検索することが出来る。輸送機関は、駅の自動改札機または自動改札機に接続した制御装置に、そのＩＤ番号を登録しておく。これらの装置は、定期券が入力される毎に、その定期券のＩＤ番号を読み、登録された（紛失届の出された）定期券であるか否かをチェックする。もし、登録された定期券が入力されれば、自動改札機のゲートを閉め、その定期券を入力した乗客を検知するので、紛失した定期券が不正に利用されることはない。
【００３４】
また、上記データベースには発行年月日（ＰＤ）の他、年齢更新年月日（ＡＤ）も記憶させる。窓口で発行するときは、ＰＤとＡＤは一致させる。乗客が、継続定期券発行装置を利用した時、その日の日付とＡＤを比較して、１年未満であれば、ＡＤと年齢はそのままにして、ＰＤをその日の日付で登録して、継続定期券を発行する。その日の日付とＡＤの差が１年以上であれば、年齢に１歳加算し、ＡＤ、ＰＤとも、その日の日付で登録して、継続定期券を発行する。従って、継続定期券発行装置を使っても、乗客の年齢を更新することができる。
【００３５】
【発明の効果】
本発明によれば、紛失した券の不正利用を防止することができる。
【図面の簡単な説明】
【図１】ホストコンピュータから駅の端末、自動改札機、定期券処理装置までのシステム構成図。
【図２】自動改札機の処理フロー。
【図３】定期券のフォーマット。
【図４】定期券を払い戻す装置。
【図５】継続定期券を発行する装置。
【図６】継続定期券を発行する装置で、定期券を発行するときの処理フロー。
【符号の説明】
１，２，・・・，ｎ…駅コントローラ、１０…ホストコンピュータ、１１…公衆回線網、１ａ，２ａ，・・・，ｎａ…端末、１ｂ，２ｂ，・・・、ｎｂ…自動改札機、１ｃ，２ｃ，・・・，ｎｃ…定期券処理装置、４０１…定期券入力部、４０２…定期券読み取り部、４０３…定期券回収部、４０４…タッチパネル、４０５…表示画面、４０６…ＣＰＵ、４０７…メモリ、４０８…現金スタッカ、４０９…現金出金部、５０１…通信制御部、５０２…現金入金部、５０３…定期券スタッカ、５０４…定期券印字部、５０５…定期券出力部。
【図１】
0003684362.tif 000003
【図２】
0003684362.tif 000004
【図３】
0003684362.tif 000005
【図４】
0003684362.tif 000006
【図５】
0003684362.tif 000007
【図６】
0003684362.tif 000008